(57)【要約】【課題】戸当たり用の部材を別途に必要とすることなく、戸当たりが容易に形成されるドア枠を提供することを目的とする。【解決手段】Ｖ溝を有した薄板状部材２がＶ溝を内側にしてこのＶ溝部位で折曲されて芯材３の外周がラッピングされるとともに、同薄板状部材２の一部が芯材３から離れて延設されることでドア４の端部５を収めるための段差部６が形成されている。より具体的には、薄板状部材２が断面略長方形の芯材３の角から芯材３の同断面略長方形の長手方向に延設されている。【選択図】図２
2009030313.tif 000002
【特許請求の範囲】
【請求項１】
Ｖ溝を有した薄板状部材がＶ溝を内側にしてこのＶ溝部位で折曲されて芯材の外周がラッピングされるとともに、同薄板状部材の一部が芯材から離れて延設されることでドアの端部を収めるための段差部が形成されていることを特徴とするドア枠。
【請求項２】
薄板状部材が断面略長方形の芯材の角から芯材の同断面略長方形の長手方向に延設されていることを特徴とする請求項１に記載のドア枠。
【請求項３】
薄板状部材が芯材の外周一連のものであることを特徴とする請求項１または２に記載のドア枠。
【請求項４】
薄板状部材が延設された部分で薄板状部材が厚み方向に重ねられていることを特徴とする請求項１〜３のいずれか１項に記載のドア枠。
【発明の詳細な説明】
【技術分野】
【０００１】
本発明は、住宅の内装ドアなどのドア枠に関する。
【背景技術】
【０００２】
図３に示すように、従来のドア枠２１は、Ｖ溝を有した薄板状部材２２がＶ溝を内側にしてこのＶ溝部位で折曲されて芯材２３がラッピングされ、薄板状部材２２がラッピングされた芯材２３に戸当たり２４が接着や釘打ちなどにより固定されて形成される。これにより、ドア枠２１には、段差部２５が形成され、戸当たり２４にドア２６の端部２７が当接し、段差部２５にドア２６の端部２７が収まる。このように、従来のドア枠２１では、戸当たり２４は、別部材として設けられている。
【０００３】
例えば、特許文献１においても、ドア枠には、芯材を内包した戸当たりが別部材として設けられている。
【特許文献１】実公平６−４９８１１号公報
【発明の開示】
【発明が解決しようとする課題】
【０００４】
ところで、従来の構成では、ドア枠に戸当たりを設けるにあたり、別途、戸当たり用の部材が必要となる。
【０００５】
本発明は、上記問題に鑑みてなされたものであり、戸当たり用の部材を別途に必要とすることなく、戸当たりが容易に形成されるドア枠を提供することを目的とする。
【課題を解決するための手段】
【０００６】
上記課題を解決するために、請求項１に記載のドア枠は、Ｖ溝を有した薄板状部材がＶ溝を内側にしてこのＶ溝部位で折曲されて芯材の外周がラッピングされるとともに、同薄板状部材の一部が芯材から離れて延設されることでドアの端部を収めるための段差部が形成されていることを特徴とする。
【０００７】
請求項２に記載の発明は、上記請求項１に記載のドア枠において、薄板状部材が断面略長方形の芯材の角から芯材の同断面略長方形の長手方向に延設されていることを特徴とする。
【０００８】
請求項３に記載の発明は、上記請求項１または２に記載のドア枠において、薄板状部材が芯材の外周一連のものであることを特徴とする。
【０００９】
請求項４に記載の発明は、上記請求項１〜３のいずれか１項に記載のドア枠において、薄板状部材が延設された部分で薄板状部材が厚み方向に重ねられていることを特徴とする。
【発明の効果】
【００１０】
請求項１、２に記載の発明によれば、芯材をラッピングするＶ溝を有した薄板状部材が延設されて、延設された薄板状部材によりドア枠に段差部が形成され、当該段差部の芯材側の面にドアの端部が当接して収まるので、戸当たり用の部材を別途に必要とすることなく、容易に戸当たりを形成することができる。
【００１１】
請求項３に記載の発明によれば、Ｖ溝を有した薄板状部材が一つでよいので、容易に戸当たりを形成することができる。
【００１２】
請求項４に記載の発明によれば、延設された薄板状部材が厚み方向に重ねられるので、延設された薄板状部材の強度を向上させることができる。
【発明を実施するための最良の形態】
【００１３】
以下、図面を参照しながら本発明の実施の形態について説明する。以下の説明では具体例を挙げて本発明を説明する場合があるが、本発明は以下の具体例に限定されない。
【００１４】
なお、ドア枠とは、天枠および二つの側枠のいずれかを指し、これら天枠および二つの側枠で三方枠が構成され、ドア枠体となる。以下、ドア枠として天枠について説明する。
【００１５】
図１は、本発明の実施形態に係るドア枠の分解断面図であり、図２は、本発明の実施形態に係るドア枠の施工形態を示す断面図である。
【００１６】
ドア枠１は、Ｖ溝ａを有した薄板状部材２と芯材３とを基本構成とする。そして、ドア枠１は、Ｖ溝ａを有した薄板状部材２がＶ溝ａを内側にしてこのＶ溝部位で折曲されて芯材３の外周がラッピングされるとともに、同薄板状部材２の一部が芯材３から離れて延設されることでドア４の端部５を収めるための段差部６が形成されている。
【００１７】
Ｖ溝ａを有した薄板状部材２は、芯材３の外周を、接着剤を介して、外観良くラッピングするとともに、一部が芯材３から離れて延設されることにより薄板部７が形成されるものであり、長さやＶ溝ａの間隔が芯材３に対応している。しかして、Ｖ溝ａを有した薄板状部材２で、Ｖ溝ａは、芯材３の角部で折曲するように形成されている。そして、Ｖ溝ａを有した薄板状部材２は、基材に表面化粧シートを貼着し、表面化粧シートを残して、基材を切削加工し、基材に９０°のＶ溝ａを入れることで形成される。薄板状部材２は、このＶ溝ａにより、自由に折り曲げることができる。ところで、薄板状部材２で芯材３の外周をラッピングする際には、上述したように段差部６が形成される。薄板状部材２の段差部６に該当する部分には、Ｖ溝ａではなくスリットｂを形成している。当該部分にスリットｂを形成することにより、Ｖ溝ａを形成する場合に比べて、段差部６で、薄板状部材２と芯材３との接触面積を大きくすることができ、薄板状部材２と芯材３との接着力が向上して、ドア枠１の強度が確保される。なお、薄板状部材２で芯材３の外周をラッピングする際に、スリットｂの部位での折曲は、Ｖ溝ａの部位での折曲とは逆側になされる。ここで、基材は、例えば、木質材でなり、表面化粧シートは、例えば、突板や樹脂シートでなる。
【００１８】
また、芯材３は、断面長方形の木質材や樹脂であり、上部を切削加工して、上部の両端に段差８が形成されている。
【００１９】
そして、ドア枠１は、より具体的には、Ｖ溝ａを有した薄板状部材２がＶ溝ａを内側にしてこのＶ溝部位で折曲されて断面略長方形の芯材３の外周がラッピングされるとともに、同薄板状部材２の一部が芯材３の角から芯材３の同断面略長方形の長手方向に延設されることで形成される。また、薄板状部材２の一部が延設されて形成された薄板部７では、薄板状部材２が連続する二つのＶ溝ａで折り返されて、厚み方向に重ねられている。さらに、芯材３の上部の両端に形成された段差８に、薄板状部材２の側端部が収められている。これにより、ドア枠１を上壁に固定しやすくなる。ここでは、Ｖ溝ａを有した薄板状部材２を芯材３の外周一連のものとしている。
【００２０】
なお、芯材３の上面には、段差８の部分を除いて、薄板状部材２によるラッピングは不要である。外観上、影響がなく、コストを低減することができるからである。
【００２１】
そして、ドア４は、端部５が薄板部７により形成された段差部６の芯材３側の面９に当接するように開閉する。しかして、当該面９がドア４の戸当たり面となる。
【００２２】
また、上壁は、壁枠体１０が側部の壁板材１１と下部の壁縁材１２に内包されて形成されている。ドア枠１は、上壁下部の壁縁材１２に固定されることとなる。また、ドア枠１は、図２に示すように、断面において、両端部が上壁から両側に突設している。ここで、壁枠体１０は木質角材でなり、壁板材１１および壁縁材１２は木質板でなる。また、側部の壁板材１１には、デザイン性の観点から、表面化粧シート１３が貼着されている。表面化粧シート１３は、例えば、木質薄板や樹脂シートでなる。
【００２３】
なお、実施形態に係るドア枠１では、薄板状部材２の一部が芯材３の角から芯材３の長手方向に延設されて薄板部７を形成しているが、ドア４の端部５を収めるための段差部６が形成されていれば、その形態は問わない。
【００２４】
したがって、芯材３をラッピングするＶ溝ａを有した薄板状部材２が延設されて、延設された薄板状部材２によりドア枠１に段差部６が形成され、当該段差部６の芯材３側の面９にドア４の端部５が当接して収まるので、戸当たり用の部材を別途に必要とすることなく、容易に戸当たりを形成することができる。また、薄板部７があることにより、上壁の壁板材１１に貼着されている表面化粧シート１３の下端がむきだしにならないので、ドア枠１の段差部６周辺の外観を良くすることができる。
【００２５】
また、Ｖ溝ａを有した薄板状部材２が一つでよいので、容易に戸当たりを形成することができる。
【００２６】
さらに、延設された薄板状部材２が厚み方向に重ねられるので、薄板部７の強度を向上させることができる。
【図面の簡単な説明】
【００２７】
【図１】本発明の実施形態に係るドア枠の分解断面図である。
【図２】本発明の実施形態に係るドア枠の施工形態を示す断面図である。
【図３】従来のドア枠の施工形態を示す断面図である。
【符号の説明】
【００２８】
１，２１    ドア枠
２，２２    Ｖ溝を有した薄板状部材
３，２３    芯材
４，２６    ドア
５，２７    ドアの端部
６，２５    段差部
７          薄板部
８          段差
９          戸当たり面
１０        壁枠体
１１        壁板材
１２        壁縁材
１３        表面化粧シート
２４        戸当たり
ａ          Ｖ溝
ｂ          スリット
【図１】
2009030313.tif 000003
【図２】
2009030313.tif 000004
【図３】
2009030313.tif 000005